(57)【要約】【課題】内装材の汚れやすさ、室内の見栄えの悪さ、家具の設置への悪影響などの不都合を解消する。【解決手段】面盤１０が実線で示すように面盤収納部６の前部に配置され、径方向隙間１４および周方向隙間１５が形成されたことによって、外気が矢印Ｘ１で示すように径方向隙間１４における面盤１０の背面に衝突して向きを室内側と屋外側との方向と直交する方向の外側に変えた後に面盤収納部６に衝突して向きを室内側の方向に変えて面盤収納部６に沿って室内に供給されるので、外気がフランジ８を越えて内装材４の表面の方向に向きを変えることがなくフランジ８を越えた後に内装材４の表面を這うこともなく、汚れが内装材４に付かないうえ、面盤１０が面盤収納部６に収容されたまま設置箇所２から室内に出っ張らないので、室内の見栄えもよくなるうえ、家具の設置にも支障を招くこともない。【選択図】図１
2008292033.tif 000002
【特許請求の範囲】
【請求項１】
建物の外と室内とを仕切る設置箇所に設けられて外気を建物の外から室内に供給する室内側給気装置であって、設置箇所に設けられた設置孔に室内から入れられて設置箇所に固定される筒状の本体と、本体の室内側端部に設けられて室内側に開口しかつ本体よりも内径の大きな筒状の面盤収納部と、面盤収納部の屋外側端を閉鎖しかつ本体に接続される背壁部と、面盤収納部の室内側端部から室内側と屋外側との方向と直交する方向の外側への突片として面盤収納部の開口を囲むように面盤収納部の室内側端部に設けられたフランジと、面盤収納部に収容されかつ本体に支持された面盤とを備え、背壁部と面盤との間には本体の内部を面盤の方向に通過する外気を面盤の背面に衝突させて当該外気の向きを室内側と屋外側との方向と直交する方向の外側に変える径方向隙間が形成され、面盤収納部と面盤との間には前記面盤の背面に衝突して向きを変えた外気を面盤収納部に衝突させて当該外気の向きを室内側の方向に変えた後に当該外気を面盤収納部に沿って室内に供給する周方向隙間が形成されたことを特徴とする室内側給気装置。
【請求項２】
面盤収納部が面盤を室内側と屋外側との方向に直線的に移動させる奥行を有し、面盤が面盤収納部の前部と奥部とに直線的に移動し得るように本体に支持され、面盤が面盤収納部の前部に移動された場合に前記面盤と背壁部との間の径方向隙間を形成し、面盤が面盤収納部の奥に移動された場合に前記面盤と背壁部との間の隙間を閉鎖することを特徴とする請求項１記載の室内側給気装置。
【発明の詳細な説明】
【技術分野】
【０００１】
本発明は、内装材の汚れやすさ、室内の見栄えの悪さ、家具の設置への悪影響などの不都合が解消できる室内側給気装置に関する。
【背景技術】
【０００２】
マンションや住宅などの建物では、外気を建物の外から室内に供給する丸型または角型給気レジスタなどの室内側給気装置が用いられる。図２は、特許文献１で開示されたものと構造を異にする公知の室内側給気装置１の設置された構造を示す。図２では、室内側給気装置１の設置箇所２として、建物の外と室内とを仕切る内壁を例として説明する。設置箇所２には、設置孔３が室外と室内とへの貫通孔として設けられる。設置箇所２の室内側面には、内装材４がクロス張りなどで設けられる。そして、室内側給気装置１における筒状の本体５が室内から設置孔３に入れられ、本体５の室内側端部に設けられたフランジ８が設置孔３の周囲における内装材４に接触した状態で、例えば図外の取付ねじなどの固着具が室内から本体５における図外の取付孔部を経由して設置箇所２に締結されることによって、本体５が設置箇所２に固定される。室内側給気装置１は、本体５の前部に面盤１０が配置され、面盤１０から屋外側に突出した面盤側支持部１１が本体５の内部に宙吊り状に付設された本体側支持部９に室内側と屋外側との方向に直線的に移動可能に支持されている。そして、面盤１０が本体側支持部９に内蔵された図外のばねによって室内側に引き出されるまたは押し出されるのに伴って、面盤側支持部１１が本体側支持部に対して屋外側から室内側の方向に直線的に移動し、面盤１０が本体５から前側に離れて実線示位置に停止し、面盤１０と本体５との間に外気の通る隙間１６を形成して外気を室内に供給するように開かれる。よって、外気が、矢印Ｘ２で示すように、屋外側から、本体５の内部、本体５と面盤１０との間の隙間１６を経由して室内に供給される。このように面盤１０が開かれた状態において、面盤１０が人為操作で上記ばねに抗して屋外側に押し込まれるのに伴って、本体側支持部９に内蔵された図外の拘束機構が面盤１０の面盤側支持部１１を拘束し、面盤１０が仮想線示位置に停止するように保持されて隙間１６を閉鎖して外気の室内への供給を遮断するように閉じられる。このように面盤１０が閉じられた状態において、面盤１０が人為操作で上記ばねに抗して本体５の方向に再び押されることによって、上記本体側支持部９の拘束機構による面盤側支持部１１の拘束が解除され、面盤１０が図外のばねによって実線示位置に直線的に引き出される。しかしながら、面盤１０が実線示位置に開かれ、外気が矢印Ｘ２で示すように建物の外から室内に供給される場合、室内側給気装置１では本体５の内部を面盤１０の方向に通過した外気が面盤１０の背面に衝突して向きを内装材４の方向に変える構造であるので、当該面盤１０の背面に衝突した外気は隙間１６からフランジ８を越えて内装材４の表面を這って室内に到達するため、外気中の汚れ１７が内装材４におけるフランジ８の周囲の部分に付くという欠点がある。しかも、外気を室内に供給するように面盤１０が開かれた場合でも、外気を室内に供給しないように面盤１０が閉じられた場合でも、面盤１０が設置箇所２から室内に出っ張る構造であるので、室内の見栄えも悪いこともさることながら家具の設置にも支障を招くこともあるという欠点がある。
【特許文献１】特開２００４−３０９０６５公報
【発明の開示】
【発明が解決しようとする課題】
【０００３】
発明が解決しようとする問題点は、周囲の内装材の汚れやすさ、室内の見栄えの悪さ、家具の設置への悪影響などという点である。
【課題を解決するための手段】
【０００４】
本発明に係る室内側給気装置は、建物の外と室内とを仕切る設置箇所に設けられて外気を建物の外から室内に供給する室内側給気装置であって、設置箇所に設けられた設置孔に室内から入れられて設置箇所に固定される筒状の本体と、本体の室内側端部に設けられて室内側に開口しかつ本体よりも内径の大きな筒状の面盤収納部と、面盤収納部の屋外側端を閉鎖しかつ本体に接続される背壁部と、面盤収納部の室内側端部から室内側と屋外側との方向と直交する方向の外側への突片として面盤収納部の開口を囲むように面盤収納部の室内側端部に設けられたフランジと、面盤収納部に収容されかつ本体に支持された面盤とを備え、背壁部と面盤との間には本体の内部を面盤の方向に通過する外気を面盤の背面に衝突させて当該外気の向きを室内側と屋外側との方向と直交する方向の外側に変える径方向隙間が形成され、面盤収納部と面盤との間には前記面盤の背面に衝突して向きを変えた外気を面盤収納部に衝突させて当該外気の向きを室内側の方向に変えた後に当該外気を面盤収納部に沿って室内に供給する周方向隙間が形成されたことを最も主要な特徴とする。面盤収納部が面盤を室内側と屋外側との方向に直線的に移動させる奥行を有し、面盤が面盤収納部の前部と奥部とに直線的に移動し得るように本体に支持され、面盤が面盤収納部の前部に移動された場合に前記面盤と背壁部との間の径方向隙間を形成し、面盤が面盤収納部の奥に移動された場合に前記面盤と背壁部との間の隙間を閉鎖するようにしてもよい。
【発明の効果】
【０００５】
本発明に係る室内側給気装置は、外気が本体の内部を面盤の方向に通過して面盤の背面に衝突して向きを室内側と屋外側との方向と直交する方向の外側に変えた後に面盤収納部に衝突して向きを室内側の方向に変えて面盤収納部に沿って室内に供給されるので、室内側給気装置によって建物の外から室内に供給される外気がフランジを越えて設置部の内装材の方向に向きを変えることもなくフランジを越えた後に内装材の表面を這うこともなく、汚れが内装材に付かないという利点があるうえ、面盤が面盤収納部に収容されたことによって設置箇所から室内に出っ張らないので、室内の見栄えもよくなるうえ、家具の設置にも支障を招くこともないという利点がある。面盤収納部が面盤を室内側と屋外側との方向に直線的に移動させる奥行を有し、面盤が面盤収納部の前部と奥部とに直線的に移動し得るように本体に支持され、面盤が面盤収納部の前部に移動された場合に前記面盤と背壁部との間の径方向隙間を形成し、面盤が面盤収納部の奥に移動された場合に前記面盤と背壁部との間の隙間を閉鎖すれば、外気を室内に供給したりしないようにすることができるという利点がある。
【発明を実施するための最良の形態】
【０００６】
図１は、発明を実施するための最良の形態に係る室内側給気装置１の設置された構造を示す。図１では、室内側給気装置１の設置箇所２として、建物の外と室内とを仕切る内壁を例として説明する。図１において、設置箇所２には、設置孔３が室外と室内とへの貫通孔として設けられる。設置箇所２の室内側面には、内装材４がクロス張りなどで設けられる。室内側給気装置１は、本体５と面盤収納部６と背壁部７とフランジ８と本体側支持部９と面盤１０と面盤側支持部１１と足１２および遮蔽部材１３を備える。
【０００７】
本体５は、合成樹脂からなり、室内側と室外側とに貫通する筒状に構成される。面盤収納部６は、合成樹脂からなり、本体５の室内側に設けられ、室内側に開口しかつ面盤収納部６の内部において面盤１０を室内側と屋外側との方向に直線的に移動させる奥行を有し、本体５よりも内径の大きな筒状である。内径は、円筒または角筒における室内側と屋外側との方向と直交する方向の内側の寸法である。背壁部７は、面盤収納部６の屋外側端を閉鎖しかつ本体５に接続される。
【０００８】
フランジ８は、合成樹脂からなり、面盤収納部６の室内側端部から室内側と屋外側との方向と直交する方向の外側への突片として、面盤収納部６の開口を囲むように、面盤収納部６の室内側端部に設けられる。本体側支持部９は、本体５の内部の中心部に宙吊り状に付設された構造である。例えば、本体側支持部９における合成樹脂からなるケースが複数の足１２で本体５の内部に宙吊りとなるように本体５の中心部に支持され、ケースにはコイルばねなどのばねと拘束機構とが内蔵された構造である。
【０００９】
面盤１０は、フェイスまたはキャップなどと呼ばれるものである。面盤収納部６および面盤１０を室内から見た場合に、面盤１０の背面が背壁部７と対向し、面盤１０が面盤収納部６に収容される大きさの板状である。面盤側支持部１１は、面盤１０の中央部から本体側支持部９の方向に直線的に突出する棒として、面盤１０に設けられる。遮蔽部材１３は、ゴムなどの弾性部材からなり、本体５の内部を閉じることがなく、面盤収納部６に収容可能であって、背壁部７の室内側面に固定される、環状の板状に構成される。
【００１０】
面盤側支持部１１が本体側支持部９に室内側と屋外側との方向に直線的に移動可能に支持され、面盤１０が面盤収納部６に収容された場合、面盤収納部６と面盤１０との間には周方向隙間１５が形成される。そして、面盤１０が本体側支持部９に内蔵された図外のばねによって面盤収納部６の前部に位置するように実線示位置に引き出されまたは押し出されて開かれた場合、背壁部７や遮蔽部材１３と面盤１０との間には径方向隙間１４が形成される。径方向隙間１４は、本体５の内部を面盤１０の方向に通過する外気を面盤１０の背面に衝突させて当該外気の向きを室内側と屋外側との方向と直交する方向の外側に変える隙間である。周方向隙間１５は、面盤１０の背面に衝突して向きを変えた外気を面盤収納部６に衝突させて当該外気の向きを室内側の方向に変えた後に当該外気を面盤収納部６に沿って室内に供給する隙間である。
【００１１】
よって、面盤１０が実線示位置に開かれた場合、外気は矢印Ｘ１で示すように屋外側から、本体５の内部、径方向隙間１４、周方向隙間１５を順に経由して室内に供給される。具体的には、本体５の内部を面盤１０の方向に通過した外気は、面盤１０の背面に衝突して向きを室内側と屋外側との方向と直交する方向の外側に変えた後、面盤収納部６に衝突して向きを室内側の方向に変えて面盤収納部６に沿って室内に供給される。つまり、室内側給気装置１によって建物の外から室内に供給される外気は、フランジ８を越えて内装材４の表面の方向に向きを変えることがなく、フランジ８を越えた後に内装材４の表面を這うこともない。このため、汚れが内装材４に付かないという利点がある。但し、汚れが室内側給気装置１の内部に付くことはあり、汚れが室内側給気装置１の内部に付いた場合は、従来と同様、面盤１０を本体５から室内側に外して掃除をすればよい。
【００１２】
面盤１０が実線示位置に開放された状態において、面盤１０が人為操作で本体側支持部９に内蔵されたばねに抗して面盤収納部６の奥側に押し込まれるのに伴って、面盤側支持部１１が本体側支持部９に対して室内側から屋外側の方向に直線的に移動し、面盤１０が面盤収納部６の奥に位置して遮蔽部材１３に接触して遮蔽部材１３を背壁部７の方向に圧縮し、面盤１０が径方向隙間１４を閉鎖して外気の室内への供給を遮断するように閉じられ、本体側支持部９に内蔵された図外の拘束機構が面盤１０の面盤側支持部１１を拘束し、面盤１０が仮想線示位置に停止するように保持される。面盤１０が仮想線示位置に閉じられた場合、径方向隙間１４が閉鎖されているので、外気が室内に供給されない。
【００１３】
このように面盤１０が閉じられた状態において、面盤１０が人為操作で上記ばねに抗して本体５側に再び押されることによって、上記本体側支持部９の拘束機構による面盤側支持部１１の拘束が解除され、面盤１０が実線示位置に直線的に引き出されて移動する。つまり、面盤１０を開閉することによって、外気を室内に供給したりしないようにすることができるという利点がある。
【００１４】
また、外気を室内に供給するように面盤１０が開かれた場合でも、外気を室内に供給しないように面盤１０が閉じられた場合でも、面盤１０が面盤収納部６に収容され、面盤１０の背面が面盤収納部６の内部に配置されてフランジ８や設置箇所２から室内に出っ張らない構造であるので、室内の見栄えもよくなるうえ、家具の設置にも支障を招くこともないという利点がある。面盤１０が開かれた場合、面盤１０の室内側面である前面が図１の実線で示すように面盤収納部６よりも前側に出なければ、室内の見栄えも家具の設置にも支障を招くこともないことがさらによくなる。
【産業上の利用可能性】
【００１５】
図１において、径方向隙間１４と周方向隙間１５が形成されていれば、面盤側支持部１１が本体側支持部９に対し室内側と屋外側との方向に移動不能に支持され、面盤１０が実線示位置に固定されるように面盤収納部６に設置されてもよい。また、室内側給気装置１における本体５、面盤収納部６、背壁部７、フランジ８、本体側支持部９のケース、面盤１０、面盤側支持部１１、足１２などを構成する合成樹脂として、汚れの付着しにくい材料を使用すれば、掃除の回数も低減する。設置箇所２は、建物の外と室内とを仕切る天井または床であってもよい。本体側支持部９は、ばねや拘束機構を内蔵していなくてもよい。遮蔽部材１３は無くてもよい。ばねや拘束機構が設けられる場合、本体側支持部９以外の場所に付設されてもよい。室内に供給される外気から汚れを除去するためのフィルタ部材が面盤１０の移動を阻害しないように本体５または面盤収納部６に設けられてもよい。図１に仮想線Ｌで示すように設置孔３を室内側と屋外側とで同じ内径の貫通孔に形成してもよい。設置箇所２の屋外側には、図外の屋外側給気装置を設置する設置箇所が設けられる。
【図面の簡単な説明】
【００１６】
【図１】室内側給気装置の設置された構造の断面図（最良の形態）。
【図２】室内側給気装置の設置された構造の断面図（従来）。
【符号の説明】
【００１７】
１は室内側給気装置、２は設置箇所、３は設置孔、４は内装材、５は本体、６は面盤収納部、７は背壁部、８はフランジ、９は本体側支持部、１０は面盤、１１は面盤側支持部、１２は足、１３は遮蔽部材、１４は径方向隙間、１５は周方向隙間、１６は隙間、１７は汚れ。
【図１】
2008292033.tif 000003
【図２】
2008292033.tif 000004